(57)【特許請求の範囲】
【請求項１】
筐体に出し入れ可能に配置された主引出しと、前記筐体に出し入れ可能に配置され前記主引出しの内部上方に設けられた内引出しと、に取り付けられる引出し連動装置であって、
前記筐体の内側面に前記主引出しと前記内引出しの移動方向に沿って設けられたカム部と、
前記主引出しに設けられ、前記主引出しの引出し方向の位置に応じて前記カム部により上方への突出量を調整されるラッチ手段と、
前記内引出しに設けられ、上方へ所定量以上突出した前記ラッチ手段が係合する係合部と、
を有する引出し連動装置。
【請求項２】
前記カム部は、前記主引出しの引出し方向中間部の位置で、前記ラッチ手段を前記係合部に係合しない位置に退避させる係合解除部を有する請求項１に記載の引出し連動装置。
【請求項３】
前記主引出しに設けられ、前記係合解除部によって前記ラッチ手段が前記係合部に係合しない位置に退避した状態で前記ラッチ手段をロックするロック手段と、
前記筐体の内側面に設けられ、前記主引出しの収納方向中間部で前記ラッチ手段を上方へ押し上げ、前記ロック手段によるロックを解除するロック解除部と、
を有する請求項２に記載の引出し連動装置。
【請求項４】
前記カム部は、前記主引出しが収納位置から所定距離引き出されるまで、前記ラッチ手段を前記係合部に係合させない請求項１〜３の何れか１項に記載の引出し連動装置。
【請求項５】
前記カム部は、前記主引出しが収納位置から前記所定距離以上引出し方向へ移動すると、前記ラッチ手段を前記係合部に係合させる請求項４に記載の引出し連動装置。
【請求項６】
前記カム部は、前記ラッチ手段が前記係合部に係合して、前記主引出しが所定距離以上引出し方向へ移動すると、前記ラッチ手段と前記係合部との係合を強制的に解除可能とする請求項５に記載の引出し連動装置。
【請求項７】
前記ラッチ手段を前記カム部に押し当てる方向へ付勢する付勢手段を有する請求項１〜６の何れか１項に記載の引出し連動装置。
【請求項８】
前記内引出しの係合部は、前記ラッチ手段の突出量が所定値より大きい場合に係合する鉛直部と、前記鉛直部に連続し、又は前記鉛直部に水平部を介して設けられた傾斜部と、を有する請求項１〜７の何れか１項に記載の引出し連動装置。
【発明の詳細な説明】
【技術分野】
【０００１】
本発明は引出し連動装置に係り、特に、主引出しの上部に設置された内引出しが主引出しと同一方向にスライドする引出し連動装置に関するものである。
【背景技術】
【０００２】
従来のこの種の引出し連動装置として、例えば、特許文献１に示すものが知られている。この引出し連動装置では、キャビネット本体の収納庫内に、主引出しの上側に内引出しが収容されている。そして、主引出しには、その背板の上端より上方に向かって第２突状体が突設され、内引出しには、その底板より下方に向かって第１突状体が突設されている。そして、主引出しを収納庫から引き出したときに、第２突状体が第１突状体を押動することで、内引出しも引き出されるようになっている。
【先行技術文献】
【特許文献】
【０００３】
【特許文献１】特開２０１０−１１９４２号公報
【発明の概要】
【発明が解決しようとする課題】
【０００４】
しかしながら、特許文献１の引出し連動装置では、主引出しを収納庫から引き出したとき、主引出しの第２突状体が、内引出しの第１突状体に当接することで、内引出しが主引出しに連動するようになっている。このため、引出し途中で、主引出しに対して内引出しを収納方向へ分離することができない。この結果、使い勝手を向上することが望まれる。
【０００５】
本発明は上記事実を考慮し、主引出しと内引出しの連動と分離との切り替えが可能な引出し連動装置を得ることを課題とする。
【課題を解決するための手段】
【０００６】
請求項１に記載の発明は、筐体に出し入れ可能に配置された主引出しと、前記筐体に出し入れ可能に配置され前記主引出しの内部上方に設けられた内引出しと、に取り付けられる引出し連動装置であって、前記筐体の内側面に前記主引出しと前記内引出しの移動方向に沿って設けられたカム部と、前記主引出しに設けられ、前記主引出しの引出し方向の位置に応じて前記カム部により上方への突出量を調整されるラッチ手段と、前記内引出しに設けられ、上方へ所定量以上突出した前記ラッチ手段が係合する係合部と、を有する。
【０００７】
請求項１に記載の発明の引出し連動装置では、筐体の内側面に、カム部が主引出しと内引出しの移動方向に沿って設けられている。主引出しを引き出した場合には、主引出しに設けたラッチ手段がカム部に沿って引出し方向へ移動する。この際、主引出しの引出し方向の位置に応じて、ラッチ手段はカム部によって上方への突出量を調整されるため、ラッチ手段が上方へ所定量以上突出すると、ラッチ手段が内引出しに設けられた係合部に係合することで、内引出しが主引出しに連動して引き出される。従って、カム部の形状によりラッチ手段の上方への突出量を変えることで、主引出しと内引出しの連動と分離との切り替えが可能になる。
【０００８】
請求項２に記載の発明は、請求項１に記載の引出し連動装置において、前記カム部は、前記主引出しの引出し方向中間部の位置で、前記ラッチ手段を前記係合部に係合しない位置に退避させる係合解除部を有する。
【０００９】
請求項２に記載の発明の引出し連動装置では、主引出しが引き出されたときに、主引出しの引出し方向中間部の位置で、カム部に設けられた係合解除部によって、ラッチ手段が係合部に係合しない位置に退避され、主引出しと内引出しとが分離される。このため、主引出しのみを引出し方向へ移動させることができる。
【００１０】
請求項３に記載の発明は、請求項２に記載の引出し連動装置において、前記主引出しに設けられ、前記係合解除部によって前記ラッチ手段が前記係合部に係合しない位置に退避した状態で前記ラッチ手段をロックするロック手段と、前記筐体の内側面に設けられ、前記主引出しの収納方向中間部で前記ラッチ手段を上方へ押し上げ、前記ロック手段によるロックを解除するロック解除部と、を有する。
【００１１】
請求項３に記載の発明の引出し連動装置では、主引出しにラッチ手段をロックするロック手段が設けられており、係合解除部によってラッチ手段が係合部に係合しない位置に退避した状態でロック手段によりラッチ手段がロックされる。これによって、主引出しと内引出しとの分離状態が維持され、主引出しと内引出しとを別々に移動させることが可能となる。また、筐体の内側面には、主引出しの収納方向中間部にロック手段によるロックを解除するロック解除部が設けられており、主引出しを収納方向に移動させたときに、ロック解除部によりラッチ手段が上方へ押し上げられ、ロック手段によるロックが解除される。このため、主引出しの引出し方向への移動及び収納方向への移動によりラッチ手段のロック及びロック解除を行うことができる。
【００１２】
請求項４に記載の発明は、請求項１〜３の何れか１項に記載の引出し連動装置において、前記カム部は、前記主引出しが収納位置から所定距離引き出されるまで、前記ラッチ手段を前記係合部に係合させない。
【００１３】
請求項４に記載の発明の引出し連動装置では、主引出しが収納位置から所定距離引き出されるまでは、カム部がラッチ手段を内引出しの係合部に係合させない。このため、内引出しが移動しないので主引出しを収納位置から引出す際の負荷を軽減できる。
【００１４】
請求項５に記載の発明は、請求項４に記載の引出し連動装置において、前記カム部は、前記主引出しが収納位置から前記所定距離以上引出し方向へ移動すると、前記ラッチ手段を前記係合部に係合させる。
【００１５】
請求項５に記載の発明の引出し連動装置では、主引出しが収納位置から所定距離以上引出し方向へ移動すると、カム部がラッチ手段を内引出しの係合部に係合させる。このため、内引出しを主引出しに連動させることができる。
【００１６】
請求項６に記載の発明は、請求項３に記載の引出し連動装置において、前記カム部は、前記ラッチ手段が前記係合部に係合して、前記主引出しが所定距離以上引出し方向へ移動すると、前記ラッチ手段と前記係合部との係合を強制的に解除可能とする。
【００１７】
請求項６に記載の発明の引出し連動装置では、主引出しを引き出す際に、ラッチ手段が内引出しの係合部に係合して、主引出しが所定距離以上引出し方向へ移動すると、カム部がラッチ手段と内引出しの係合部との係合を強制的に解除可能とする。このため、係合状態にある主引出しと内引出しとを強制的に分離できる。
【００１８】
請求項７に記載の発明は、請求項１〜６の何れか１項に記載の引出し連動装置において、前記ラッチ手段を前記カム部に押し当てる方向へ付勢する付勢手段を有する。
【００１９】
請求項７に記載の発明の引出し連動装置では、付勢手段がラッチ手段をカム部へ押し当てる方向へ付勢するため、ラッチ手段の突出量不足を防止できる。この結果、ラッチ手段を内引出しの係合部に確実に係合させることができる。
【００２０】
請求項８に記載の発明は、請求項１〜７の何れか１項に記載の引出し連動装置において、前記内引出しの係合部は、前記ラッチ手段の突出量が所定値より大きい場合に係合する鉛直部と、前記鉛直部に連続し、又は前記鉛直部に水平部を介して設けられた傾斜部と、を有する。
【００２１】
請求項８に記載の発明の引出し連動装置では、ラッチ手段の突出量が所定値より大きい場合にラッチ手段が内引出しの係合部の鉛直部に係合し、ラッチ手段の突出量が所定値以下の場合には、内引出しの係合部における鉛直部に連続し又は鉛直部に水平部を介して設けられた傾斜部に係合する。このため、ラッチ手段の突出量を所定値以下とし、ラッチ手段を係合部の傾斜部に係合させることで、ラッチ手段と内引出しの係合部との係合を強制的に解除できる。この結果、簡単な構成で係合状態にある主引出しと内引出しとの係合を強制的に解除できる。
【発明の効果】
【００２２】
請求項１に記載の本発明の引出し連動装置は、上記構成としたので、主引出しと内引出しの連動と分離との切り替えが可能になる。
【００２３】
請求項２に記載の本発明の引出し連動装置は、上記構成としたので、主引出しのみを引出し方向に移動できる。
【００２４】
請求項３に記載の本発明の引出し連動装置は、上記構成としたので、主引出しの引出し方向及び収納方向への移動によりラッチ手段のロック及びロック解除を行うことができる。
【００２５】
請求項４に記載の本発明の引出し連動装置は、上記構成としたので、主引出しを収納位置から引出す際の負荷を軽減できる。
【００２６】
請求項５に記載の本発明の引出し連動装置は、上記構成としたので、内引出しを主引出しに連動させることができる。
【００２７】
請求項６に記載の本発明の引出し連動装置は、上記構成としたので、係合状態にある主引出しと内引出しとを強制的に分離できる。
【００２８】
請求項７に記載の本発明の引出し連動装置は、上記構成としたので、ラッチ手段を内引出しの係合部に確実に係合させることができる。
【００２９】
請求項８に記載の本発明の引出し連動装置は、上記構成としたので、簡単な構成で係合状態にある主引出しと内引出しとの係合を強制的に分離できる。
【図面の簡単な説明】
【００３０】
【図１】（Ａ）は本発明の一実施形態に係る引出し連動装置の要部を示す空走区間での概略側面図であり、（Ｂ）は空走区間でのラッチ装置の幅方向に沿った縦断面図である。
【図２】（Ａ）は本発明の一実施形態に係る引出し連動装置の要部を示す連動区間での概略側面図であり、（Ｂ）は連動区間でのラッチ装置の幅方向に沿った縦断面図である。
【図３】（Ａ）は本発明の一実施形態に係る引出し連動装置の要部を示す半連動区間での概略側面図であり、（Ｂ）は半連動区間でのラッチ装置の幅方向に沿った縦断面図である。
【図４】（Ａ）は本発明の一実施形態に係る引出し連動装置の要部を示す分離区間での概略側面図であり、（Ｂ）は分離区間でのラッチ装置の幅方向に沿った縦断面図である。
【図５】（Ａ）は本発明の一実施形態に係る引出し連動装置のラッチがロックされた状態で主引出しを収納方向に移動させる過程を示す概略側面図であり、（Ｂ）はこの収納方向に移動させる過程でのラッチ装置の幅方向に沿った縦断面図である。
【図６】（Ａ）は本発明の一実施形態に係る引出し連動装置のラッチのロックが解除された状態を示す概略側面図であり、（Ｂ）はロックが解除されたときのラッチ装置の幅方向に沿った縦断面図である。
【図７】本発明の一実施形態に係る引出し連動装置のラッチ装置付近の構成を幅方向に沿った状態で示す縦断面図である。
【図８】本発明の一実施形態に係る引出し連動装置の要部を示す分解斜視図である。
【図９】本発明の一実施形態に係る引出し連動装置が適用されたキッチンキャビネットを示す斜視図である。
【図１０】本発明の一実施形態に係る引出し連動装置が適用されたキッチンキャビネットを示す収納状態での概略側断面図である。
【図１１】本発明の一実施形態に係る引出し連動装置が適用されたキッチンキャビネットを示す連動区間での概略側断面図である。
【図１２】本発明の一実施形態に係る引出し連動装置が適用されたキッチンキャビネットを示す分離区間での概略側断面図である。
【発明を実施するための形態】
【００３１】
本発明の一実施形態に係る引出し連動装置について図１〜図１２に従って説明する。なお、図中矢印ＦＲはキッチンキャビネット前方方向（引出し方向）を、矢印ＵＰはキッチンキャビネット上方方向を、矢印Ｗはキッチンキャビネット幅方向を示す。
【００３２】
図９に示すように、本実施形態の引出し連動装置が取付けられたキッチンキャビネット１０は筐体であるキャビネット本体１２を備えている。このキャビネット本体１２は、背板１２Ａと左右の側板１２Ｂとによってコの字型に覆われた内部空間を備えており、背板１２Ａに対向する前面が開口部１２Ｃとなっている。
【００３３】
また、キッチンキャビネット１０は、キャビネット本体１２の内部に収容される主引出し１４と、この主引出し１４の上方内部に収容される内引出し１６と、を備えている。
【００３４】
図１０に示すように、主引出し１４及び内引出し１６のそれぞれの側部と、キャビネット本体１２の左右の側板１２Ｂの内側面とには、キャビネット本体１２に対して主引出し１４及び内引出し１６をキッチンキャビネット１０の前方となる引出し方向（図１０の矢印Ａ方向）と、キッチンキャビネット１０の後方となる収納方向（図１０の矢印Ｂ方向）にスライドさせるためのスライド部材２０、２２とレール部材２１、２３が設けられている。
【００３５】
なお、これらのスライド部材２０、２２及びレール部材２１、２３は、周知の構成であるため詳細な説明は省略するが、所定の範囲内で前後に主引出し１４及び内引出し１６を円滑にスライドさせて、且つ、主引出し１４及び内引出し１６を全開まで引き出したときにも支持可能な構成である。
【００３６】
主引出し１４はキャビネット本体１２の開口部１２Ｃを覆う鏡板（前板）１４Ａと、鏡板１４Ａに対向する背面側に設けられた背板１４Ｂと、２枚の側板１４Ｃと、底板１４Ｄとを備えている。また、主引出し１４は鏡板１４Ａと背板１４Ｂと２枚の側板１４Ｃと底板１４Ｄとで覆われ、上部が開口された収納空間１４Ｅを有する。
【００３７】
内引出し１６は前板１６Ａと、前板１６Ａに対向する背面側に設けられた背板１６Ｂと、２枚の側板１６Ｃと、底板１６Ｄとを備えている。また、内引出し１６は前板１６Ａと背板１６Ｂと２枚の側板１６Ｃと底板１６Ｄとで覆われ、上部が開口された収納空間１６Ｅを有する。
【００３８】
なお、内引出し１６の収納空間１６Ｅの奥行き長さは、主引出し１４の収納空間１４Ｅの奥行き長さより短くなっており、主引出し１４の収納空間１４Ｅは、主引出し１４の鏡板１４Ａと内引出し１６の前板１６Ａとの間の前側空間と、内引出し１６の前板１６Ａと主引出し１４の背板１４Ｂとの間の後側空間とに分割されている。よって、主引出し１４の収納空間１４Ｅにおける後側空間には、主引出し１４の底板１４Ｄから内引出し１６の底板１６Ｄまでの高さで収まる台所用品が収納され、この後側空間では収容できない高さとなる台所用品が、前側空間に収納されるようになっている。
【００３９】
（引出し連動装置）
図１０に示すように、キャビネット本体１２における左右の側板１２Ｂの内側面には、それぞれカム部材２６が設けられている。カム部材２６は長尺状とされており、主引出し１４と内引出し１６の移動方向（図１０の矢印Ａ及び矢印Ｂ）となるキャビネット本体１２の前後方向に沿って設けられている。なお、カム部材２６は内引出し１６の底板１６Ｄの下方であって、主引出し１４の背板１４Ｂ及び側板１４Ｃに隣接した位置に配置されている。
【００４０】
図１、図７及び図８に示すように、カム部材２６は、キャビネット本体１２の前後方向に延びると共にキャビネット本体１２の側板１２Ｂから幅方向内側に突出するカム本体部２６Ａと、カム本体部２６Ａにおける主引出し１４の引出し方向前方側に側板１２Ｂに当接するように設けられた側壁部２６Ｂと、を備えている。カム本体部２６Ａの下部には、カム部としてのラッチ用カム面４０が、カム部材２６の長手方向（主引出し１４と内引出し１６の移動方向）に沿って形成されている。より具体的に説明すると、ラッチ用カム面４０は、カム本体部２６Ａの下壁部で構成されており、ラッチ用カム面４０は、カム部材２６の長手方向に沿って上下方向の位置が変化している。
【００４１】
また、図８に示すように、カム部材２６の側壁部２６Ｂには、カム本体部２６Ａの長手方向中間部の下方側に、側面視にて略三角形状のロック解除部２６Ｃが設けられている。ロック解除部２６Ｃの上壁部には、ロック解除用カム面４６が形成されており、ロック解除用カム面４６は、カム部材２６の長手方向に沿って上下方向の位置が変化している。
【００４２】
図７及び図１０に示すように、主引出し１４の背板１４Ｂの幅方向両側の上部には、ラッチ手段としてのラッチ装置３６が配設されている。図７及び図８に示すように、ラッチ装置３６は、箱状のケース３６Ａと、ケース３６Ａの上部に固定される上壁部３６Ｂと、を備えている。ケース３６Ａの内部には、ラッチ５０が配置されており、ラッチ５０は上方向（図７の矢印Ｃ方向）と下方向（図７の矢印Ｄ方向）とへ移動可能とされている。また、ケース３６Ａの内部には、付勢手段としてのコイルスプリング５２が配置されており、このコイルスプリング５２はラッチ５０をラッチ用カム面４０へ押し当てる方向（図７の矢印Ｃ方向）へ付勢している。
【００４３】
ラッチ５０の本体部５０Ａは上下方向に沿った長尺状となっており、本体部５０Ａの下端部には、ストッパ５０Ｂ（図７参照）が幅方向外側へ突出するように形成されている。ストッパ５０Ｂの上端は、カム部材２６のラッチ用カム面４０に下方から当接している。また、本体部５０Ａの下端部には、幅方向内側へ突出する突出部５０Ｄが形成されており、突出部５０Ｄの下方側にコイルスプリング５２が配置されている。ラッチ５０の本体部５０Ａの上端部５０Ｃは、略直方体状に形成されている。
【００４４】
ラッチ装置３６には、ラッチ５０の上端部５０Ｃが、後述するストライカー７０の係合部凹部７２（図７参照）に係合しない位置に退避した状態でロックするロック手段としてのロック装置５４が設けられている。ロック装置５４は、ラッチ５０の突出部５０Ｄの側部に設けられた係止部５０Ｅと、ケース３６Ａ内に配置されてラッチ５０をカム部材２６の方向に押圧する押圧部材５６と、押圧部材５６の側壁に形成され係止部５０Ｅが係止される突起５６Ａ（図７参照）と、ケース３６Ａ内に配置されて押圧部材５６をカム部材２６の方向（図７の矢印Ｅ方向）へ付勢するコイルスプリング５８と、を備えている。
【００４５】
図７に示すように、ロック装置５４は、ラッチ５０の上端部５０Ｃが、ストライカー７０の係合部凹部７２に係合する位置に突出した状態では、ラッチ５０の係止部５０Ｅが押圧部材５６の突起５６Ａの上方に位置しており、係止部５０Ｅは突起５６Ａに係止されないようになっている。一方、図４（Ｂ）及び図５（Ｂ）に示すように、ラッチ５０の上端部５０Ｃが、ストライカー７０の係合部凹部７２に係合しない位置に退避した状態では、ラッチ５０の係止部５０Ｅがコイルスプリング５８の付勢力に抗して押圧部材５６を後退させ、押圧部材５６の突起５６Ａの下方側に移動する。この状態で、コイルスプリング５８の付勢力により押圧部材５６がラッチ５０を押圧し、係止部５０Ｅが突起５６Ａに係止されることで、ラッチ５０がロックされるようになっている。
【００４６】
図１（Ａ）に示すように、ラッチ用カム面４０は、カム部材２６の後方側端部近傍となる後端部４０Ａの高さが低く形成されている。言い換えると、側面視にてカム部材２６のロック解除部２６Ｃの下面と同一の高さで延長線２７（仮想線）を設定したとき、ラッチ用カム面４０の後端部４０Ａの延長線２７からの高さＨ１は低くなっている。また、ラッチ用カム面４０では、カム部材２６の前後方向における後端部４０Ａよりも前方側の後方側中間部４０Ｂの延長線２７からの高さＨ２が、他の部位の高さに比べて最も高くなっている。さらに、ラッチ用カム面４０の前後方向における後方側中間部４０Ｂよりも前方側の前方側中間部４０Ｃの延長線２７からの高さＨ３は、後方側中間部４０Ｂの高さＨ２より低く、後端部４０Ａの高さＨ１とほぼ同じ高さとなっている。
【００４７】
さらに、ラッチ用カム面４０の係合解除部としての前端部４０Ｄは、側面視にてカム部材２６の下方に略三角形状に突出しており、前端部４０Ｄの延長線２７からの高さＨ４が、他の部位の高さに比べて最も低くなっている。すなわち、ラッチ用カム面４０の前端部４０Ｄの延長線２７からの高さＨ４は、前方側中間部４０Ｃの延長線２７からの高さＨ３及び後端部４０Ａの延長線２７からの高さＨ１よりも低くなっており、また、後方側中間部４０Ｂの延長線２７からの高さＨ２は、前方側中間部４０Ｃの延長線２７からの高さＨ３及び後端部４０Ａの延長線２７からの高さＨ１よりも高くなっている（Ｈ２＞Ｈ３（Ｈ１）＞Ｈ４）。
【００４８】
なお、ラッチ用カム面４０における後端部４０Ａと後方側中間部４０Ｂとの間は前方へ向かって上り勾配となる傾斜面４０Ｅとなっており、後方側中間部４０Ｂと前方側中間部４０Ｃとの間は前方へ向かって下り勾配となる傾斜面４０Ｆとなっている。さらに、ラッチ用カム面４０における前方側中間部４０Ｃと前端部４０Ｄとの間は前方へ向かって下り勾配となる傾斜面４０Ｇとなっており、前端部４０Ｄの前方側は、前方へ向かって上り勾配となる傾斜面４０Ｈとなっている。
【００４９】
ロック解除部２６Ｃのロック解除用カム面４６は、前後方向における前部４６Ａが後方へ向かって上り勾配となる傾斜面となっており、前部４６Ａの後方にロック解除部２６Ｃの下面からの高さが最も高い頂部４６Ｂが形成されている。さらに、ロック解除用カム面４６は、前後方向における後部４６Ｃが後方へ向かって下り勾配となる傾斜面となっている。ロック解除用カム面４６は、ラッチ５０がロック装置５４によりロックされた状態で、ラッチ５０のストッパ５０Ｂの下端が当接する位置に設けられている。
【００５０】
図７及び図１０に示すように、内引出し１６の前後方向の後端下部には、矩形状の本体からなる係合部としてのストライカー７０が設けられている。図８に示すように、ストライカー７０は、側面視にて略Ｌ字状のブラケット７４の下部にボルト７６とナット７８により締結固定されている。ブラケット７４の上部は、内引出し１６の側板１６Ｃに図示しない締結具により固定されている。
【００５１】
図１（Ａ）に示すように、ストライカー７０の下端部の前面７０Ａは、前方上側から後方下側に向かう傾斜面となっており、ストライカー７０の下端部の後面７０Ｂは、前方下側から後方上側に向かう傾斜面となっている。また、ストライカー７０の下面７０Ｃの前後方向中間部（後方寄り）には係合部凹部７２が上方に向かって形成されている。
【００５２】
係合部凹部７２の前壁部の上部は上下方向に沿った鉛直部７２Ａ（鉛直面）となっており、前壁部の中間部は鉛直部７２Ａの下端から前方側に延びた水平部７２Ｂとなっている。係合部凹部７２の前壁部の下部は、水平部７２Ｂの前端から前方下側に向かう傾斜部７２Ｃ（傾斜面）となっている。また、係合部凹部７２の後壁部７２Ｄは前方上側から後方下側に向かう傾斜部（傾斜面）となっている。なお、本実施形態では、鉛直部７２Ａから水平部７２Ｂを介して傾斜部７２Ｃを設けているが、水平部７２Ｂを設けずに鉛直部７２Ａの前方に連続して傾斜部７２Ｃを設けてもよい。
【００５３】
従って、図１に示すように、主引出し１４の背板１４Ｂに設けられたラッチ装置３６がカム部材２６の後端部及び後端部近傍にある場合には（図１０参照）、ラッチ５０のストッパ５０Ｂの上端が、ラッチ用カム面４０の後端部４０Ａに当接しており、ラッチ５０は下方に押し下げられている（上方への突出量が少なくなっている）。このため、ラッチ５０の上端部５０Ｃがストライカー７０の係合部凹部７２に係合しない空走区間となっている。
【００５４】
図２に示すように、主引出し１４を引き出すことにより、ラッチ装置３６がカム部材２６の前後方向における後方側中間部に移動すると（図１１参照）、ラッチ５０のストッパ５０Ｂの上端が、ラッチ用カム面４０の後方側中間部４０Ｂに当接し、ラッチ５０は上方に押し上げられている（上方への突出量が最も大きくなっている）。このため、ラッチ５０の上端部５０Ｃがストライカー７０の係合部凹部７２の前壁部の鉛直部７２Ａに係合する連動区間となっている。なお、この連動区間ではラッチ５０の上端部５０Ｃが係合する係合部凹部７２の前壁部の鉛直部７２Ａが垂直面となっているため、ラッチ５０の上端部５０Ｃがストライカー７０の係合部凹部７２に対して前方側へ外れないようになっている。
【００５５】
図３に示すように、主引出し１４を引き出すことにより、ラッチ装置３６がカム部材２６の前後方向における前方側中間部に移動すると、ラッチ５０のストッパ５０Ｂの上端が、ラッチ用カム面４０の前方側中間部４０Ｃに当接しており、ラッチ５０は上方に押し上げられているが、上方への突出量が少なくなっている。このため、ラッチ５０の上端部５０Ｃがストライカー７０の係合部凹部７２の前壁部の傾斜部７２Ｃに係合する半連動区間となっている。
【００５６】
この半連動区間は、ラッチ５０（主引出し１４）に対してストライカー７０（内引出し１６）を収納方向（図３の矢印Ｂ方向）へ強制的に移動させると、係合部凹部７２の前壁部の傾斜部７２Ｃとラッチ５０の上端部５０Ｃとが摺動するようになっている。このため、ラッチ５０がコイルスプリング５２の付勢力に抗して下方へ移動することで、ラッチ５０（主引出し１４）とストライカー７０（内引出し１６）との係合が解除されるようになっている。
【００５７】
なお、ラッチ５０（主引出し１４）に対してストライカー７０（内引出し１６）を引出し方向（図３の矢印Ａ方向）へ強制的に移動させる場合には、ストライカー７０における係合部凹部７２の後壁部７２Ｄの全体が傾斜面となっているため、係合部凹部７２の後壁部７２Ｄとラッチ５０の上端部５０Ｃとが摺動し、ラッチ５０がコイルスプリング５２の付勢力に抗して下方へ移動することで、ラッチ５０（主引出し１４）とストライカー７０（内引出し１６）との係合が解除されるようになっている。なお、ラッチ５０（主引出し１４）に対してストライカー７０（内引出し１６）を引出し方向（図３の矢印Ａ方向）へ強制的に移動させる操作は、係合部凹部７２の後壁部７２Ｄとラッチ５０の上端部５０Ｃの後端角部とが摺動するため、ラッチ用カム面４０の前方側中間部４０Ｃに加えて後方側中間部４０Ｂにおいても可能になっている。
【００５８】
図４に示すように、主引出し１４を引き出すことにより、ラッチ装置３６がカム部材２６の前端部に移動すると、ラッチ５０のストッパ５０Ｂの上端が、ラッチ用カム面４０の前端部４０Ｄに当接しており、ラッチ５０は下方へ押し下げられている（上方へ突出しない状態となっている）。このため、ラッチ５０の上端部５０Ｃがストライカー７０の係合部凹部７２に係合しない位置に退避され、ラッチ５０（主引出し１４）とストライカー７０（内引出し１６）との係合が解除されるようになっている。
【００５９】
そのとき、図４（Ｂ）に示すように、ラッチ５０の係止部５０Ｅがコイルスプリング５８の付勢力に抗して押圧部材５６を後退させ、押圧部材５６の突起５６Ａの下方側に移動するようになっている。この状態で、ロック装置５４のコイルスプリング５８の付勢力により押圧部材５６がラッチ５０を横方向（図７に示す矢印Ｅ方向）に押圧し、係止部５０Ｅが突起５６Ａに係止されることで、ラッチ５０がロックされるようになっている（図５（Ｂ）を参照）。この結果、図１２に示すように、主引出し１４と内引出し１６との連動が解除された状態で維持され、主引出し１４と内引出し１６は単独で引出し方向（矢印Ａ方向）、収納方向（矢印Ｂ方向）へ移動できるようになっている。
【００６０】
また、図６に示すように、主引出し１４（図１２参照）を収納方向（矢印Ｂ方向）に移動させることにより、ラッチ装置３６がカム部材２６のロック解除部２６Ｃに移動した場合、ラッチ５０のストッパ５０Ｂの下端が、ロック解除用カム面４６の前部４６Ａ及び頂部４６Ｂを摺動し、ラッチ５０が上方に押し上げられる。そのとき、図６（Ｂ）に示すように、ラッチ５０の係止部５０Ｅがコイルスプリング５８の付勢力に抗して押圧部材５６を後退させ、押圧部材５６の突起５６Ａの上方側に移動するようになっている。これによって、係止部５０Ｅと突起５６Ａとの係止が解除され、ロック装置５４によるラッチ５０のロックが解除されるようになっている。
【００６１】
（作用・効果）
次に、本発明の一実施形態に係る引出し連動装置の作用及び効果について説明する。
【００６２】
図１０に示すように、キャビネット本体１２の内部に、主引出し１４と内引出し１６とが完全に収納されている収納状態では、主引出し１４の背板１４Ｂに対して、内引出し１６の背板１６Ｂが前方側に離間した位置となっていると共に、主引出し１４の鏡板１４Ａに対して、内引出し１６の前板１６Ａが後方側に離間した位置となっている。
【００６３】
この収納状態から主引出し１４を引き出すと、主引出し１４はレール部材２１とスライド部材２０とによって、引出し方向（図１０の矢印Ａ方向）へ移動を開始し、主引出し１４の背板１４Ｂに設けられたラッチ装置３６はカム部材２６の後端部から後端部近傍に移動する。
【００６４】
このとき、図１に示すように、ラッチ装置３６は、ストッパ５０Ｂの上端がラッチ用カム面４０の後端部４０Ａに当接しており、ラッチ５０は下方に押し下げられている（上方への突出量が少なくなっている）。このため、ラッチ５０の上端部５０Ｃがストライカー７０の係合部凹部７２に係合しない空走区間となっており、主引出し１４は移動するが、内引出し１６は移動しない。
【００６５】
この結果、主引出し１４の引出し開始時の引き出し力を小さくすることができる。このため、主引出し１４にクローザーが設けられている場合にも、主引出し１４の引出し開始時の引き出し力を小さくでき、操作性が向上する。
【００６６】
なお、主引出し１４を引き出すと、ラッチ５０の上端部５０Ｃがストライカー７０の後面７０Ｂに当接して下方に押し下げられ、ラッチ５０の上端部５０Ｃがストライカー７０の下面７０Ｃに当接するが、内引出し１６は引出し方向に移動しない。
【００６７】
次に、図２及び図１１に示すように、主引出し１４をさらに矢印Ａ方向に引出し、ラッチ装置３６がカム部材２６の前後方向における後方側中間部に達すると、ラッチ５０のストッパ５０Ｂの上端が、ラッチ用カム面４０の後方側中間部４０Ｂに当接し、ラッチ５０は上方に押し上げられる（上方への突出量が最も大きくなる）。このため、ラッチ５０の上端部５０Ｃがストライカー７０の係合部凹部７２の前壁部の鉛直部７２Ａに係合し連動区間となる。この結果、主引出し１４と伴に内引出し１６が引出し方向（矢印Ａ方向）に移動する。
【００６８】
なお、この連動区間ではラッチ５０の上端部５０Ｃが係合部凹部７２の前壁部の鉛直部７２Ａに係合するため、ストライカー７０はラッチ５０に対して収納方向（図２の矢印Ｂ方向）へ移動できない。即ち、内引出し１６は主引出し１４に対して収納方向（図２の矢印Ｂ方向）へ分離できない。
【００６９】
また、ラッチ５０（主引出し１４）に対してストライカー７０（内引出し１６）を引出し方向（図２の矢印Ａ方向）へ強制的に移動させる場合には、ストライカー７０における係合部凹部７２の後壁部７２Ｄの全体が傾斜面となっているため、係合部凹部７２の後壁部７２Ｄとラッチ５０の上端部５０Ｃとが摺動する。この結果、ラッチ５０がコイルスプリング５２の付勢力に抗して下方へ移動することで、ラッチ５０（主引出し１４）とストライカー７０（内引出し１６）との係合が解除される。即ち、内引出し１６を主引出し１４に対して引出し方向（図２の矢印Ａ方向）へ強制的に分離できる。なお、ラッチ５０の上端部５０Ｃの後端部に、前方上側から後方下側に向かう傾斜面を形成し、係合部凹部７２の後壁部７２Ｄとラッチ５０の傾斜面とを摺動させるようにしてもよい。
【００７０】
次に、主引出し１４をさらに矢印Ａ方向に引出し、図３に示すように、ラッチ装置３６がカム部材２６の前後方向における前方側中間部に達すると、ラッチ５０のストッパ５０Ｂの上端が、ラッチ用カム面４０の前方側中間部４０Ｃに当接し、ラッチ５０は上方に押し上げられるが、上方への突出量は連動区間に比べて少なくなる。このため、ラッチ５０の上端部５０Ｃがストライカー７０の係合部凹部７２の水平部７２Ｂの下方に移動し、ラッチ５０の上端部５０Ｃが係合部凹部７２の前壁部の傾斜部７２Ｃに係合する半連動区間となる。この結果、主引出し１４と伴に内引出し１６が移動する。
【００７１】
また、この半連動区間においては、ラッチ５０（主引出し１４）に対してストライカー７０（内引出し１６）を収納方向（図３の矢印Ｂ方向）へ強制的に移動させると、係合部凹部７２の前壁部の傾斜部７２Ｃとラッチ５０の上端部５０Ｃとが摺動する。この結果、ラッチ５０がコイルスプリング５２の付勢力に抗して下方へ移動することで、ストライカー７０とラッチ５０との係合が解除される。
【００７２】
よって、必要に応じて、内引出し１６のみを収納方向（図３の矢印Ｂ方向）へ移動し、主引出し１４の開口面積を広げることができる。
【００７３】
なお、ラッチ５０（主引出し１４）に対してストライカー７０（内引出し１６）を引出し方向（図３の矢印Ａ方向）へ強制的に移動させる場合には、ストライカー７０における係合部凹部７２の後壁部７２Ｄの全体が傾斜面となっている。このため、係合部凹部７２の後壁部７２Ｄとラッチ５０の上端部５０Ｃとが摺動し、ラッチ５０がコイルスプリング５２の付勢力に抗して下方へ移動することで、ストライカー７０とラッチ５０との係合を解除できる。
【００７４】
よって、必要に応じて、内引出し１６のみを引出し方向（図３の矢印Ａ方向）へ移動し、内引出し１６の開口面積を広げることができる。
【００７５】
次に、主引出し１４をさらに矢印Ａ方向に引出し、図４に示すように、ラッチ装置３６がカム部材２６の前端部に達すると、ラッチ５０のストッパ５０Ｂの上端が、ラッチ用カム面４０の前端部４０Ｄに当接し、ラッチ５０が下方に押し下げられ、ラッチ５０の上端部５０Ｃが上方へ突出しない状態となる。即ち、ラッチ５０の上端部５０Ｃがストライカー７０の係合部凹部７２に係合しない位置に退避され、ストライカー７０とラッチ５０との係合が解除される。
【００７６】
そのとき、図４（Ｂ）に示すように、ラッチ５０の係止部５０Ｅがロック装置５４のコイルスプリング５８の付勢力に抗して押圧部材５６を後退させ、押圧部材５６の突起５６Ａの下方側に移動する。そして、コイルスプリング５８の付勢力により押圧部材５６がラッチ５０を横方向に押圧し、係止部５０Ｅが突起５６Ａに係止されることで、ラッチ５０がロックされる（図５（Ｂ）を参照）。この結果、図１２に示すように、主引出し１４は内引出し１６との連動が解除され、主引出し１４と内引出し１６を単独で引出し方向（矢印Ａ方向）、収納方向（矢印Ｂ方向）へ移動させることができる。例えば、主引出し１４を矢印Ａ方向にさらに引き出しても、内引出し１６は移動しない。
【００７７】
一方、主引出し１４を引き出し状態（例えば図１２に示す状態）から収納方向（矢印Ｂ方向）に移動させると、図５に示すように、ラッチ５０がロック装置５４によりロックされており（ラッチ５０の上端部５０Ｃがストライカー７０の係合部凹部７２に係合しない位置に退避しており）、主引出し１４が単独で収納方向に移動する。
【００７８】
そして、主引出し１４を収納方向（矢印Ｂ方向）にさらに移動させると、図６に示すように、ラッチ装置３６がカム部材２６のロック解除部２６Ｃに到達し、ラッチ５０のストッパ５０Ｂの下端が、ロック解除用カム面４６の前部４６Ａ及び頂部４６Ｂを摺動し、ラッチ５０が上方に押し上げられる。そのとき、図６（Ｂ）に示すように、ラッチ５０の係止部５０Ｅがコイルスプリング５８の付勢力に抗して押圧部材５６を後退させ、押圧部材５６の突起５６Ａの上方側に移動することで、突起５６Ａと係止部５０Ｅとの係止状態が解除され、ロック装置５４によるラッチ５０のロックが解除される。そして、コイルスプリング５２の付勢力によって、ラッチ５０のストッパ５０Ｂの上端が、ラッチ用カム面４０の後方側中間部４０Ｂに当接し、ラッチ５０が上方に押し上げられる（図２参照）。
【００７９】
主引出し１４を収納方向（矢印Ｂ方向）に移動させる際に、主引出し１４の背板１４Ｂが、内引出し１６の背板１６Ｂから垂下された垂れ板（図示省略）に当たり、主引出し１４の背板１４Ｂに押されて内引出し１６も収納方向（矢印Ｂ方向）に移動する。そして、主引出し１４及び内引出し１６が図１０に示す収納位置で停止する。
【００８０】
なお、ロック解除部２６Ｃでロック装置５４によるラッチ５０のロックが解除された後、再度、主引出し１４を引出し方向（図１０の矢印Ａ方向）に移動させた場合には、主引出し１４の引き出し途中で、ラッチ５０の上端部５０Ｃがストライカー７０の係合部凹部７２の傾斜部７２Ｃ又は鉛直部７２Ａに係合する。この結果、主引出し１４に内引出し１６が連動する。
【００８１】
従って、本実施形態では、カム部材２６のラッチ用カム面４０の形状（高さＨ１〜Ｈ４）を調節することで、主引出し１４と内引出し１６の連動と分離との切り替えが可能になる。
【００８２】
また、本実施形態では、主引出し１４を収納位置から引出す際に、主引出し１４が収納位置から所定距離引き出されるまでは、図１に示すように、カム部材２６のラッチ用カム面４０の後端部４０Ａによって、ラッチ５０が内引出し１６のストライカー７０に係合しない空走区間となる。このため、内引出し１６が移動しないので、主引出し１４を収納位置から引出す際の負荷を軽減できる。
【００８３】
また、本実施形態では、主引出し１４を収納位置から引出した際に、ラッチ装置３６がカム部材２６の前後方向における前方側中間部にある場合には、図３に示すように、ラッチ用カム面４０の前方側中間部４０Ｃによって、ラッチ５０が内引出し１６のストライカー７０との係合を強制的に解除可能な半連動区間となる。このため、この半連動区間では、ラッチ５０と内引出し１６のストライカー７０との係合を強制的に解除することで、主引出し１４に対して内引出し１６のみを収納方向（図３の矢印Ｂ方向）に移動することが可能になる。この結果、使い勝手が向上する。
【００８４】
また、本実施形態では、ラッチ５０の突出量が大きい場合にのみラッチ５０が内引出し１６のストライカー７０における係合部凹部７２の前壁部の鉛直部７２Ａに係合し、ラッチ５０の突出量が小さくなるとラッチ５０が係合部凹部７２の前壁部の傾斜部７２Ｃに係合する。このため、ラッチ５０の突出量を小さくし、ラッチ５０を係合部凹部７２の前壁部の傾斜部７２Ｃに係合させることで、ラッチ５０と内引出し１６のストライカー７０との係合を強制的に解除可能な半連動区間を形成することができる。この結果、簡単な構成でラッチ５０と内引出し１６のストライカー７０との係合を強制的に解除可能な半連動区間を形成することができる。
【００８５】
また、本実施形態では、図７に示すように、コイルスプリング５２がラッチ５０をラッチ用カム面４０へ押し当てる方向（図７の矢印Ｃ方向）へ付勢しているため、ラッチ５０の突出量不足を防止できる。この結果、ラッチ５０を内引出し１６のストライカー７０に確実に係合させることができる。
【００８６】
また、本実施形態では、主引出し１４を引出した際に、ラッチ５０がラッチ用カム面４０の前端部４０Ｄに達した場合には、ストライカー７０とラッチ５０との係合が解除された状態で、ラッチ５０がロック装置５４によりロックされる。これによって、主引出し１４がある程度引き出された状態で、主引出し１４と内引出し１６とが分離され、それぞれ単独で移動させることができるので、例えば、主引出し１４のみをさらに引き出しても内引出し１６が邪魔になることがない。さらに、主引出し１４を収納方向に移動させた際に、ロック解除部２６Ｃによりラッチ５０のロック装置５４によるロックを自動的に解除することができる。この結果、使い勝手が向上する。
【００８７】
（その他の実施形態）
以上に於いては、本発明を特定の実施形態について詳細に説明したが、本発明は上記実施形態に限定されるものではなく、本発明の範囲内にて他の種々の実施形態が可能であることは当業者にとって明らかである。例えば、上記実施形態では、本発明の引出し連動装置を図９及び図１０に示すキッチンキャビネット１０に適用したが、本発明の引出し連動装置は、加熱調理部を備えたレンジ台が引出しの上方を覆う天板上に設置されるシステムキッチン等にも適用可能である。さらに、キッチン以外で使用するキャビネットの引出しにも適用可能である。
【符号の説明】
【００８８】
１０   キッチンキャビネット
１２   キャビネット本体（筐体）
１２Ｂ 側板（内側面）
１４   主引出し
１６   内引出し
２６   カム部材
２６Ｃ ロック解除部
３６   ラッチ装置
４０   ラッチ用カム面（カム部）
４０Ｄ 前端部（係合解除部）
４６   ロック解除用カム面
５０   ラッチ（ラッチ手段）
５０Ｅ 係止部
５２   コイルスプリング（付勢手段）
５４   ロック装置（ロック手段）
５６   押圧部材
５６Ａ 突起
５８   コイルスプリング
７０   ストライカー（係合部）
７２   係合部凹部
７２Ａ 鉛直部
７２Ｂ 水平部
７２Ｃ 傾斜部
【図１】
0005388952.tif 000002
【図２】
0005388952.tif 000003
【図３】
0005388952.tif 000004
【図４】
0005388952.tif 000005
【図５】
0005388952.tif 000006
【図６】
0005388952.tif 000007
【図７】
0005388952.tif 000008
【図８】
0005388952.tif 000009
【図９】
0005388952.tif 000010
【図１０】
0005388952.tif 000011
【図１１】
0005388952.tif 000012
【図１２】
0005388952.tif 000013